(57)【要約】【課題】白黒画像とカラー画像の両方を形成する画像形成装置において、白黒画像においては、耐久性があって文字や線画像を量産でき、カラー画像においては、均一な高画質な画像形成ができ、その両方それぞれに対して好適な画像形成を行い、長期間使用することの可能な画像形成装置を提供することである。【解決手段】表面に静電潜像が形成される第一の像担持体１０１と第二の像担持体１０９である２個の像担持体と、２個の像担持体１０１、１０９に対向して、静電潜像を現像する現像装置１０６、１１４を構成する、それぞれ複数色の現像剤Ｙ、Ｍ、Ｃ、Ｋ１、Ｋ２を１色ずつそれぞれに収容した複数の現像器６１〜６５と、を有し、複数の現像器のうち少なくともひとつは白黒画像形成用黒色現像剤Ｋ２が収容され、白黒画像形成用黒色現像剤Ｋ２を使用して白黒画像を形成し、及び、白黒画像形成用黒色現像剤Ｋ２以外の複数色の現像剤ＹＭＣＫ１のうちの少なくとも１色を使用してカラー画像を形成する画像形成装置において、第一の像担持体１０１は、ＯＰＣ感光体であり、第二の像担持体１０９において使用される現像剤以外の現像剤Ｙ、Ｍ、Ｃ、Ｋ１を収容した現像器６１〜６４を有する現像装置１０６によって前記静電潜像が現像され、第二の像担持体１０９は、Ａ−Ｓｉ感光体であり、白黒画像形成用黒色現像剤Ｋ２を収容する現像器６５を有する現像装置１１４によって静電潜像が現像される。【選択図】　　　　図１
2004045758.tif 000002
【特許請求の範囲】
【請求項１】
表面に静電潜像が形成される第一の像担持体と第二の像担持体である２個の像担持体と、該２個の像担持体に対向して、前記静電潜像を現像する現像装置を構成する、それぞれ複数色の現像剤を１色ずつそれぞれに収容した複数の現像器と、を有し、該複数の現像器のうち少なくともひとつは白黒画像形成用黒色現像剤が収容され、該白黒画像形成用黒色現像剤を使用して白黒画像を形成し、及び、前記白黒画像形成用黒色現像剤以外の前記複数色の現像剤のうちの少なくとも１色を使用してカラー画像を形成する画像形成装置において、
前記第一の像担持体は、ＯＰＣ感光体であり、前記第二の像担持体において使用される現像剤以外の現像剤を収容した現像器を有する前記現像装置によって前記静電潜像が現像され、
前記第二の像担持体は、Ａ−Ｓｉ感光体であり、前記白黒画像形成用黒色現像剤を収容する現像器を有する前記現像装置によって前記静電潜像が現像されることを特徴とする画像形成装置。
【請求項２】
表面に静電潜像が形成される第一の像担持体と第二の像担持体である２個の像担持体と、該２個の像担持体に対向して、前記静電潜像を現像する現像装置を構成する、それぞれ複数色の現像剤を１色ずつそれぞれに収容した複数の現像器と、を有し、該複数の現像器のうち少なくともひとつは白黒画像形成用黒色現像剤が収容され、該白黒画像形成用黒色現像剤を使用して白黒画像を形成し、及び、前記白黒画像形成用黒色現像剤以外の前記複数色の現像剤のうちの少なくとも１色を使用してカラー画像を形成する画像形成装置において、
前記第一の像担持体は、Ａ−Ｓｉ感光体であり、前記第二の像担持体において使用される現像剤以外の現像剤を収容した現像器を有する前記現像装置によって前記静電潜像が現像され、
前記第二の像担持体は、Ａ−Ｓｉ感光体であり、前記白黒画像形成用黒色現像剤を収容する現像器を有する前記現像装置によって前記静電潜像が現像されることを特徴とする画像形成装置。
【請求項３】
前記第一の像担持体は、感光物質の塗布ムラの選別を行った結果、前記第二の像担持体よりも該塗布ムラが少ないものであることを特徴とする請求項２の画像形成装置。
【請求項４】
前記第一の像担持体に対向して、イエロー（Ｙ）、マゼンタ（Ｍ）、シアン（Ｃ）、第一ブラック（Ｋ）の４色の現像剤を、４個の前記現像器に、１個に対して１色収容した前記現像装置が設置され、又、前記第二の像担持体に対向して、前記白黒画像形成用黒色現像剤としての第二ブラック（Ｋ）色の現像剤を前記現像器に収容した前記現像装置が設置されることを特徴とする請求項１、２又は３の画像形成装置。
【請求項５】
前記白黒画像を形成する白黒画像形成モードを複数有し、そのうちひとつは、前記第一の像担持体表面の静電潜像を前記第一ブラック（Ｋ）色の現像剤のみで現像する画像形成するモードであり、
他のひとつは、前記第一の像担持体上の静電潜像を前記第一ブラック（Ｋ）色の現像剤で現像し、且つ、前記第二の像担持体上の静電潜像を前記白黒画像形成用黒色現像剤である前記第二ブラック（Ｋ）色の現像剤で現像する画像形成モードであり、
他のひとつは、前記第二の像担持体上の静電潜像を前記白黒画像形成用黒色現像剤としての前記第二ブラック（Ｋ）色の現像剤のみで現像する画像形成モードであることを特徴とする請求項４の画像形成装置。
【請求項６】
前記第一の像担持体に対向して、マゼンタ（Ｍ）、シアン（Ｃ）、第一ブラック（Ｋ）の３色の現像剤を、３個の前記現像器に、ひとつに対して１色収容した前記現像装置が設置され、又、前記第二の像担持体に対向して、前記白黒画像形成用黒色現像剤の第二ブラック（Ｋ）とイエロー（Ｙ）の２色の現像剤を、２個の前記現像器に、１個に対して１色収容した前記現像装置が設置されることを特徴とする請求項１、２又は３の画像形成装置。
【請求項７】
前記白黒画像を形成する白黒画像形成モードを複数有し、そのうちひとつは、前記第一の像担持体上の静電潜像を前記第一ブラック（Ｋ）色の現像剤のみで現像する画像形成モードであり、
他のひとつは、前記第一の像担持体上の静電潜像を前記第一ブラック（Ｋ）色の現像剤にて現像し、且つ、前記第二の像担持体上の静電潜像を前記白黒画像形成用黒色現像剤としての前記第二ブラック（Ｋ）色の現像剤にて現像する画像形成モードであり、
他のひとつは、前記第二の像担持体上の静電潜像を前記白黒画像形成用黒色現像剤としての前記第二ブラック（Ｋ）色の現像剤のみで現像する画像形成モードであることを特徴とする請求項６の画像形成装置。
【請求項８】
前記第一の像担持体で用いられる前記第一ブラック（Ｋ）色の現像剤は、トナーとキャリアを含む現像剤であり、前記第二の像担持体で用いられる前記白黒画像形成用黒色現像剤としての前記第二ブラック（Ｋ）色の現像剤は、トナーを含みキャリアを含まない現像剤であることを特徴とする請求項４〜７のいずれかの項に記載の画像形成装置。
【請求項９】
前記第一の像担持体において、前記第一ブラック（Ｋ）色の現像剤によって現像されて形成される画像は、多値で形成され、前記第二の像担持体において、前記白黒画像形成用黒色現像剤である前記第二ブラック（Ｋ）色の現像剤によって現像される画像は、２値で形成されることを特徴とする請求項４〜８のいずれかの項に記載の画像形成装置。
【発明の詳細な説明】
【０００１】
【発明の属する技術分野】
本発明は、複写機又はレーザービームプリンタ等の画像形成装置に関するものであり、特に、２個の像担持体と、該像担持体に対して設けられた複数の色の現像剤が収容された現像装置と、を有し、白黒画像とカラー画像との両方の画像形成が可能なカラー画像形成装置に関するものである。
【０００２】
【従来の技術】
従来、カラー画像形成装置であるカラー複写機、カラープリンタにおいては、表面に静電潜像が形成される像担持体であるドラム状の感光体（感光体ドラム）を１個備え、この１個の感光体ドラムに対して、現像装置であるイエロー（Ｙ）、マゼンタ（Ｍ）、シアン（Ｃ）、ブラック（Ｋ）の４色の現像器を切り換えて順次作用させ、画像形成プロセスを４回繰り返すことにより、多色画像を形成する多回転プロセスのカラー画像形成装置、及び、感光体ドラムと現像器とを含む画像形成部をイエロー（Ｙ）、マゼンタ（Ｍ）、シアン（Ｃ）、ブラック（Ｋ）の色毎に４個備えたタンデム型のカラー画像形成装置が主流であった。
【０００３】
上記の１個の感光体ドラムによりカラー画像を得るものにおいては、小型であるが単位時間あたりのプリント枚数が少ないという問題点を有し、上述の４個の画像形成部を備えたタンデム型のものにおいては、単位時間あたりのプリント枚数は多いものの、各画像形成部毎に帯電装置やレーザスキャナユニット等の作像プロセス機器が必要なため装置の大型やコストアップという問題点を有していた。
【０００４】
そこで、前述の多回転プロセスの装置に比べて単位時間あたりのプリント枚数が多く、且つ、タンデム型装置よりも、小型化、低価格化が図れるカラー画像形成装置として２個の感光体ドラムを備えたものがあった。
【０００５】
この２個の感光体ドラムを備えたカラー画像形成装置としては、特開平２−１２２７３号公報に開示されたように、２個の感光体ドラムに第１色、第２色に対応したトナー像を形成して転写ドラム上の用紙に順次転写し、次に、それぞれの感光体ドラムにおいて転写後の第１色、第２色のトナー像を除去した後に、それぞれ第３色、第４色に対応したトナー像を形成して、その第３色、第４色に対応したトナー像を、用紙の第１色、第２色のトナー像の上に重ね合わせて転写し、その後、このトナー像を用紙に定着して多色のカラー画像を形成するものがあった。
【０００６】
又、特開平４−２０４８７１号公報及び特開平１０−１７７２８６号公報に開示されたように、２個の感光体ドラムに第１色、第２色に対応したトナー像を形成して中間転写ベルトに順次転写し、次いで、それらの第１色、第２色のトナー像を除去した後に、それぞれの感光体ドラム上に形成された、第３色、第４色に対応したトナー像を、中間転写ベルトの第１色、第２色のトナー像の上に重ね合わせて転写し、このトナー像を用紙に転写・定着して多色のカラー画像を形成する中間転写方式のものがあった。
【０００７】
更に、特開２０００−３３８７３９号公報及び特開２０００−２８４５６７号公報に開示されたように、２個の感光体ドラムを備えたカラー画像形成装置で且つ、両側の感光体ドラムにそれぞれブラック現像器を設けたもので、白黒画像形成時に２個の感光体ドラムとそれぞれのブラック現像器を使用して、白黒画像形成速度を向上するカラー画像形成装置があった。
【０００８】
【発明が解決しようとする課題】
しかしながら、前述した従来例にある２個の感光体ドラムを装備したカラー画像形成装置においては、白黒画像とカラー画像両方を形成するように構成されているが、実際のところ、本カラー画像形成装置の使用は白黒画像、しかも写真画像ではなく、文字のみで構成された文書や単色の線図形等の線画像が多くとられる場合が多い。
【０００９】
そのため、白黒画像の高耐久性が要求されるが、感光体としてＯＰＣ（有機感光体）感光体である感光体ドラムを使用していると、Ａ−Ｓｉ感光体である感光体ドラム（アモルファスシリコンドラム）に対して低寿命であるという課題がある。
【００１０】
又、カラー画像においては、特に、天然色の写真画像等においては、ＯＰＣ感光体ドラムとＡ−Ｓｉ感光体ドラムを比較するとドラム内の電位のムラがＯＰＣ感光体ドラムのほうが少ないという特性もあり、均一な画像を得るにはＯＰＣ感光体ドラムが望ましいという問題点がある。
【００１１】
従って、本発明の目的は、白黒画像とカラー画像の両方を形成する画像形成装置において、白黒画像においては、耐久性があって文字や線画像を量産でき、カラー画像においては、均一で高画質な画像形成ができ、その両方それぞれに対して好適な画像形成を行い、長期間使用することの可能な画像形成装置を提供することである。
【００１２】
【課題を解決するための手段】
上記目的は本発明に係る画像形成装置にて達成される。要約すれば、表面に静電潜像が形成される第一の像担持体と第二の像担持体である２個の像担持体と、該２個の像担持体に対向して、前記静電潜像を現像する現像装置を構成する、それぞれ複数色の現像剤を１色ずつそれぞれに収容した複数の現像器と、を有し、該複数の現像器のうち少なくともひとつは白黒画像形成用黒色現像剤が収容され、該白黒画像形成用黒色現像剤を使用して白黒画像を形成し、及び、前記白黒画像形成用黒色現像剤以外の前記複数色の現像剤のうちの少なくとも１色を使用してカラー画像を形成する画像形成装置において、
前記第一の像担持体は、ＯＰＣ感光体であり、前記第二の像担持体において使用される現像剤以外の現像剤を収容した現像器を有する前記現像装置によって前記静電潜像が現像され、
前記第二の像担持体は、Ａ−Ｓｉ感光体であり、前記白黒画像形成用黒色現像剤を収容する現像器を有する前記現像装置によって前記静電潜像が現像されることを特徴とする画像形成装置を提供する。
【００１３】
第２の本発明は、表面に静電潜像が形成される第一の像担持体と第二の像担持体である２個の像担持体と、該２個の像担持体に対向して、前記静電潜像を現像する現像装置を構成する、それぞれ複数色の現像剤を１色ずつそれぞれに収容した複数の現像器と、を有し、該複数の現像器のうち少なくともひとつは白黒画像形成用黒色現像剤が収容され、該白黒画像形成用黒色現像剤を使用して白黒画像を形成し、及び、前記白黒画像形成用黒色現像剤以外の前記複数色の現像剤のうちの少なくとも１色を使用してカラー画像を形成する画像形成装置において、
前記第一の像担持体は、Ａ−Ｓｉ感光体であり、前記第二の像担持体において使用される現像剤以外の現像剤を収容した現像器を有する前記現像装置によって前記静電潜像が現像され、
前記第二の像担持体は、Ａ−Ｓｉ感光体であり、前記白黒画像形成用黒色現像剤を収容する現像器を有する前記現像装置によって前記静電潜像が現像されることを特徴とする画像形成装置を提供する。
【００１４】
第２の本発明の一実施態様によると、前記第一の像担持体は、感光物質の塗布ムラの選別を行った結果、前記第二の像担持体よりも該塗布ムラが少ないものである。
【００１５】
【発明の実施の形態】
以下、本発明に係る画像形成装置を図面に則して更に詳しく説明する。
【００１６】
実施例１
図１を用いて本発明であるカラー画像形成装置であるカラー複写機の説明を行う。
【００１７】
本発明の画像形成装置では、第一の像担持体としてのＯＰＣ感光体と、第二の像担持体としてのＡ−Ｓｉ感光体と、の２個の像担持体が設けられ、その周囲に設けられた、現像装置や、帯電装置、潜像形成手段、転写手段、像担持体クリーニング手段等で、それぞれ第一及び第二の画像形成部が構成されている。
【００１８】
そして、ＯＰＣ感光体が設けられた第一の画像形成部では、カラー画像や写真画像等の均一性が要求される画像が形成され、Ａ−Ｓｉ感光体が設けられた第二の画像形成部では、量産する文字や単色線画像等の白黒画像が形成される。
【００１９】
本実施例の図１に示す画像形成装置は、大きく分けて、これらの第一の画像形成部Ａおよび第二の画像形成部Ｂが設けられたプリンタ部１、スキャナ部２、及び原稿給紙装置３から構成されている。まず、プリンタ部１の第一の画像形成部Ａ及び第二の画像形成部Ｂのそれぞれの画像形成手段が行う画像形成動作について説明する。
【００２０】
第一の画像形成部Ａには、主にカラー画像を形成する像担持体である第一の像担持体であるＯＰＣ感光体で構成された感光体ドラム１０１が備えられており、その上方に備えられた潜像形成手段であるレーザスキャナ１０２は感光体ドラム１０１に対して、後述する処理を行いカラー毎に画像データに対応して発光する。
【００２１】
ここで、本実施例ではレーザスキャナで説明するが、ＬＥＤ等別の潜像形成手段を用いても問題ない。レーザスキャナ１０２が発光した光は光路１０５を形成して感光体ドラム１０１に照射され、静電潜像が形成される。
【００２２】
感光体ドラム１０１の回転方向で、レーザスキャナ１０２によって潜像形成される位置（露光位置）の上流にて、ドラム幅の光源である前露光装置１０３が、感光体ドラム１０１に既に作像された不要電位を消去し、一次帯電装置１０４が、感光体ドラム１０１に対して規定電位を帯電させる。
【００２３】
感光体ドラム１０１の回転方向で、露光位置の下流にて、カラー回転現像装置１０６が対向しており、感光体ドラム１０１にレーザスキャナ１０２によって生成された潜像を可視化して現像剤像（トナー像）とする。本実施例では、現像装置である回転現像装置１０６においては、イエロー（Ｙ）・マゼンタ（Ｍ）・シアン（Ｃ）・第一ブラック（Ｋ）の静電潜像を順に可視化することとされ、それぞれの色の現像剤が収容された、イエロー用現像器（Ｙ現像器）６４、マゼンタ用現像器（Ｍ現像器）６３、シアン用現像器（Ｃ現像器）６２、第一ブラック用現像器（Ｋ１現像器）６１がロータリー６０に設置されている。
【００２４】
感光体ドラム１０１の回転方向で回転現像装置１０６の下流にて、中間転写ドラム１０８が対向しており、カラー回転現像装置１０６で可視化されたトナー像が、中間転写ドラム１０８の対向部の裏側に設置された転写手段１２７によって転写される。
【００２５】
中間転写ドラム１０８との対向部より感光体ドラム１０１回転方向下流には、感光体ドラム１０１に残った転写残現像剤（トナー）をクリーニングするための像担持体クリーニング手段であるクリーニングブレード１０７が設けられている。
【００２６】
そして、第二の画像形成部Ｂには、こうしたカラー画像を形成するための感光体ドラム１０１とは別に、主に、文字や単色線画像である白黒画像を形成する、第二の像担持体であるＡ−Ｓｉ感光体で構成される感光体ドラム１０９が設けられている。
【００２７】
感光体ドラム１０９の周囲には、白黒画像（文字画像）に対応した静電潜像を形成するレーザスキャナ１１０が備えられている。レーザスキャナ１１０によって発光された画像露光は光路１１３を進んで感光体ドラム１０９に照射され、静電潜像が形成される。
【００２８】
感光体ドラム１０９の回転方向で、レーザスキャナ１１０によって潜像形成される位置（露光位置）の上流にて、ドラム幅の光源である前露光装置１１１が、感光体ドラム１０９に既に作像された不要電位を消去し、一次帯電装置１１２が、感光体ドラム１０９に対して規定電位を帯電させる。
【００２９】
感光体ドラム１０９の回転方向で、露光位置の下流にて、白黒画像形成用の黒色現像剤であるブラック（Ｋ）色の第二ブラック現像剤Ｋ２（トナー）が収容されたブラック用現像器（Ｋ２現像器）６５が設けられているブラック現像装置１１４が対向しており、感光体ドラム１０１にレーザスキャナ１１０によって生成された潜像を可視化してブラックの現像剤像（トナー像）とする。
【００３０】
尚、ブラック（Ｋ）現像剤に関しては、ここでは、便宜上第一の画像形成部Ａにて使用されるものを、第一ブラック現像剤Ｋ１（現像剤Ｋ１）、第二の画像形成部Ｂにて使用されるものを第二ブラック現像剤Ｋ２（現像剤Ｋ２）とする。そして、第二の画像形成部Ｂに設置されたＫ２現像器６５の第二ブラック現像剤Ｋ２は、専ら白黒画像で且つ文字や単色線画像形成に使用され、第一の画像形成部Ａに設置されたＫ１現像器６１に収容されたカラー画像や写真画像に使用される第一ブラック現像剤Ｋ１と用途が異なる。よって、第二画像形成部Ｂにて使用される第二ブラック（Ｋ）現像剤Ｋ２を、第一画像形成部Ａにて使用される第一ブラック（Ｋ）現像剤Ｋ１と区別して、「白黒画像形成用黒色現像剤」と称す。
【００３１】
感光体ドラム１０９の回転方向でブラック現像装置１１４の下流にて、カラー画像に使用された中間転写ドラム１０８が対向しており、ブラック現像装置１１４で可視化されたトナー像が、中間転写ドラム１０８の対向部の裏側に設置された転写手段１２８によって転写される。
【００３２】
中間転写ドラム１０８との対向部より感光体ドラム１０９回転方向下流には、感光体ドラム１０９に残った転写残現像剤（トナー）をクリーニングするための像担持体クリーニング手段であるクリーニングブレード１１５が設けられている。
【００３３】
上記に説明したように、本実施例では、中間転写ドラム１０８には、第一の画像形成部Ａの４色の現像器６１〜６４を設置した回転現像装置１０６によって形成されたそれぞれの４色のトナー像と、又、第二の画像形成部Ｂのブラック現像装置１１４に形成されたトナー像と、で最大５個の現像器で形成されたトナー像を重ねて転写することが可能であり、形成する画像の種類によって、例えば後に説明する画像形成モードに従い、適当な色のトナー像が重ねて転写され、複合トナー像が形成される。
【００３４】
そして、そのトナー像は、例えば紙等の記録媒体Ｐに転写される。
【００３５】
尚、図１では、感光体ドラム１０１及び１０９の回転方向は反時計回り、中間転写ドラム１０８の回転方向は時計回りとして示している。
【００３６】
記録媒体Ｐへの転写はまず、記録媒体Ｐが収納されているカセット１１６より、ピックアップローラ１１７で記録媒体Ｐを１枚づつレジストローラ対１１８へ送られる。レジストローラ１１８では、記録媒体Ｐの到来するタイミングと中間転写ドラム１０８に転写された画像のタイミングを合わせて、二次転写ポイント１２０において、中間転写ドラム１０８に形成されたトナー像を記録媒体Ｐに転写する。
【００３７】
記録媒体Ｐへの転写後に中間転写ドラム１０８に残ったトナーは中間転写ドラムクリーナ１２９によってクリーニングされる。この中間転写ドラムクリーナは、クリーナ１２９が中間転写ドラム１０８に当接するＯＮとクリーナ１２９が中間転写ドラム１０８から離間するＯＦＦの切り替え制御が可能であり、二次転写が動作するときのみ中間転写ドラムクリーナ１２９が当接するようにＯＮの制御がされる。
【００３８】
記録媒体Ｐに二次転写ポイント１２０にて転写されたトナー像は搬送手段１２１、１２２、１２３により定着手段１２４に搬送される。搬送手段は搬送ローラ１２３で搬送ベルト１２１を駆動し、従動ローラ１２２は搬送ベルト１２１にテンションを与える。定着器１２４には加熱ローラ１２５と加圧ローラ１２６とで構成され、記録媒体Ｐ上のトナーを定着させる。定着器１２４を通過した後記録媒体Ｐは、排紙トレイ１２６に排出される。
【００３９】
本発明の画像形成装置に特徴としては、上記に説明したように、２個の感光体ドラム１０１、１０９を装備したカラー画像形成装置であるが、カラー画像を形成するためには、第一の像担持体としての感光体ドラム１０１に、均一画像が形成できるＯＰＣ感光体を使用し、文字等の白黒画像を形成するためには、第二の像担持体としての感光体ドラム１０９に、長寿命の感光体であるＡ−Ｓｉ感光体を使用する。
【００４０】
そして、複写動作するときに動作モードを設定する手段を設け、画像の種類に応じて文字等の白黒画像形成、写真画像用の白黒画像形成、及びカラー画像形成におけるブラック現像剤の使用をコントロールすることにより、文字のみの画像や単色の線画像では、Ａ−Ｓｉ感光体上で文字用の白黒画像形成用の第二ブラック現像剤Ｋ２で画像形成し、写真モードなどの高品画像の場合は、ＯＰＣ感光体上でカラー画像形成用の現像剤ＹＭＣＫ１を使用して画像形成するように制御する。
【００４１】
白黒画像とカラー画像両方を形成されるように構成されているカラー画像形成装置では、実際は、カラー画像形成装置の使用は白黒画像が多くとられる場合が多いので、こうして白黒画像形成用とカラー画像形成用途で別の感光体ドラムを使用することで、長寿命で、カラー画像形成に関しては高画質の画像が形成できる画像形成装置が提供できる。
【００４２】
ここで、こうした白黒画像形成とカラー画像形成等で動作モードを設定し、それを制御する手段について、詳しく説明する。まず、スキャナ部２にて読み取られた、画像形成をするための外部情報となる原稿から得られて送られてくる画像信号の信号処理について説明する。
【００４３】
まず、スキャナ２、原稿給紙装置３に関して簡単に説明する。
【００４４】
原稿給紙装置３は、原稿台３１に原稿を載せ、未図示の駆動手段で１枚づつ原稿読み取り位置に搬送され、スキャナ２で読み取りを行った後、原稿排紙トレー３２に搬送する。
【００４５】
スキャナ２には、原稿を読み取るカラーイメージセンサ２１が設けられている。原稿給紙装置３の真下に配置された光源ユニット２４には、光源２４ａと、光源２４ａが発光する光による原稿からの反射光Ｌ１を反射部２３へ導くためのミラー２４ｂが含まれている。光源ユニット２４から送られてくる、原稿からの反射光Ｌ１は反射部２３内のミラー２３ａ、２３ｂによって変更され、レンズ２２によって集光され、カラーイメージセンサ２１へ導かれる。
【００４６】
スキャナ部２におけるイメージセンサ２１で受け取った信号処理に関して、図２のカラー画像形成装置であるカラー複写機の画像データの処理の流れを示した画像処理フローチャートを用いて詳細に説明する。
【００４７】
ブロック２００：まず、ＣＣＤ／ＡＰブロック２００において、カラーイメージセンサ２１からの信号を処理し、ＲＧＢ（レッド・グリーン・ブルー）のそれぞれの信号を個別に増幅し、不図示の基準白板でそれぞれが規定量の範囲になるように増幅値が制御され、増幅処理されたＲＧＢの画像信号がＡ／Ｄコンバータによりデジタル画像信号ＲＧＢに変換される。画像信号ＲＧＢは、以下で説明するブロック２１１のレーザパルス生成部まで全てデジタル信号処理される。
【００４８】
ブロック２０１：シェーディング補正ブロック２０１では、ＣＣＤ／ＡＰブロック２００からのＲＧＢ信号を、基準白板（不図示）下ＲＧＢブランク信号値を基に、基準白板下でを読み取り、このシェーディング補正ブロック２０１でカラーイメージセンサの画素毎のシェーディングを補正し、画素毎の出力が均一になるように補正する。
【００４９】
ブロック２０２：ＲＧＢ位相補正ブロック２０２では、カラーイメージセンサ２１が３ラインセンサを使用しており、ＲＧＢの色間にラインずれが発生することによって生じる、このＲＧＢ間の位置ずれを補正する。このブロック２０２通過後ＲＧＢ信号の位置がそろった信号となる。ＲＧＢ位相補正ブロック２０２で、ＲＧＢ信号は、入力マスキングブロック２０３ａと文字を判定する文字判定ブロック２０３ｂにそれぞれ送られる。
【００５０】
ブロック２０３ａ：ブロック２０２より入力マスキングブロック２０３ａに送られたＲＧＢ信号は、カラーイメージセンサ２１のＲＧＢのカラーフィルタ特性を補正し、この処理を行うことにより原稿の信号値に近いカラー画像信号となる。この入力マスキングブロック２０３ａを経た信号に対して、空間フィルタ部２０３ａ’において、ＲＧＢ信号に対してスムージングやエッジ強調などの処理を行い、ブロック２０４ａに送る。
【００５１】
ブロック２０４ａ：ＬＯＧ変換＆ＲＰＧブロック２０４ａでは空間フィルタ２０３ａ’より送られてきたＲＧＢ信号を、色信号であるＹＭＣ（イエロー、マゼンタ、シアン）信号に変換するとともに文字以外のブロックに関してはＹＭＣ信号よりＵＣＲすることによりブラックの色信号であるＫの信号を作成し、ブロック２０５に送信する。
【００５２】
ブロック２０３ｂ：ＲＧＢ位相補正信号ブロック２０２から文字判定ブロック２０３ｂへと発信された信号は、読み取った画像信号が文字か否かを判定する。
【００５３】
ブロック２０４ｂ：有彩色判定ブロック２０４ｂは、ＲＧＢ位相補正信号ブロック２０２からの画像信号の文字判定２０３ｂの結果と空間フィルタブロック２０３ａ’からのブロック２０４ａを経た信号から、色文字かを判定し、更に、ブロック２０３ｂの文字の判定情報から文字の画像データＭＪを作成する。又、色文字の情報もＩＲＯとして出力し、ブロック２０５に送信される。
【００５４】
ブロック２０５：ブロック２０５は、ダイレクトマッピングブロック２０５であり、プリンタの画像に合わせて、ブロック２０４ａ、２０４ｂからのＹＭＣＫ、ＭＪ信号の色味を調整するブロックである。又、このブロック２０５では、プリンタの記録情報に応じて画像信号を生成している。又、文字の情報は有彩色判定ブロック２０４ｂより伝達され、ダイレクトマッピングブロック２０５の右側からはカラー画像形成用の画像信号が出力され、左側からは文字用の画像信号が出力される。画像は前述したようにカラー画像はＹＭＣＫの順番で形成されるため、ダイレクトマッピングブロック２０５のカラー画像形成信号はＹＭＣＫの順にページ毎に切り替えられる。文字の信号はカラー画像形成のいずれかのタイミングで生成すれば良いわけだが、本実施例ではカラー画像形成のＫ信号を生成しているタイミングで文字用の信号がダイレクトマッピング２０５から出力される。
【００５５】
ブロック２０６：ダイレクトマッピングブロック２０５からのそれぞれの信号は変倍ブロック２０６で縮小・拡大・等倍などの処理が行われる。
【００５６】
ブロック２０７、２０８：ブロック２０７は、出力γｏｒスクリーン処理ブロック２０７であり、γ補正もしくはスクリーン処理が行われる。その後、ＲＥＤブロック２０８で多値信号から２値信号に変換される。本実施例では２値プリンタとして説明するが、多値で処理する場合はこのＲＥＤブロック２０８の工程は必要ないことは言うまでもない。
【００５７】
ブロック２０９：ブロック２０７、２０８を経た信号は、トリミング／マスキングブロック２０９で、未図示の制御部からの指示に従って、画像の一部のみを切出したり、画像の一部のみをマスクしたりする。
【００５８】
ブロック２１０ａ、２１０ｂ：ブロック２０９からのそれぞれの信号は、感光体ドラムの位置が異なるため、その分調整するための記録タイミング補正部文字用２１０ａ、カラー用２１０ｂがある。
【００５９】
ブロック２１１：記録タイミングが補正された、文字用とカラー用のそれぞれの画像信号はレーザパルス生成部２１１で実際にレーザスキャナ１０２、１１０に装着されているカラー用レーザ２１２ｂと文字用レーザ２１２ａを駆動するパルスが生成され、画像信号に応じてレーザ発光される。
【００６０】
カラー用レーザがレーザスキャナ１０２に設けられ、文字用レーザがレーザスキャナ１１０に設けられているので、以上のスキャナ２における制御により、白黒画像形成用の第二ブラック（Ｋ）現像剤Ｋ２による画像形成はＡ−Ｓｉ感光体１０９によってなされ、それ以外の色の現像剤を収容する現像装置による画像形成は、特にカラー画像を形成する場合はカラー画像形成用のＯＰＣ感光体ドラム１０１によってなされる。
【００６１】
このように、スキャナ２の制御により感光体ドラム１０１、１０２を使い分けることができる。
【００６２】
ここで、本実施例の画像形成装置では複数種の画像形成モードが選択でき、カラー画像形成は主に第一の像担持体であるＯＰＣ感光体ドラム１０１で行われるが、第二の像担持体であるＡ−Ｓｉ感光体ドラム１０９に対向しているＫ２現像器６５に収容された現像剤Ｋ２を用いることもある。又、白黒画像形成においても、第二の像担持体でのみ行われるわけではなく、第一の像担持体に設けられたＫ１現像器６１に収容されたブラック現像剤Ｋ１を用いることもある。それに応じて、上記のスキャナ２の信号処理も自動的に選択される。
【００６３】
例えば、本実施例では、図４に示した、操作表示が表示され、使用者は、「カラー原稿」か、「白黒原稿」か、の画像形成モードを選択する以外に、更に、「写真画像」か、「文字写真画像」か、「文字画像」か、の画像形成モードを選択することができる。
【００６４】
こうした動作モードを選択するフローに関して、図３のフローチャートを用いて説明する。
【００６５】
ステップＳ３０１：未図示の操作部よりカラー複写機の画像形成処理を選択開始する。
【００６６】
ステップＳ３０２：図４に示した操作表示を表示し、使用者が選択したモードに従って、装置本体の選択動作に入る。
【００６７】
ステップＳ３０３：選択された画像形成が、「白黒原稿」か「カラー原稿」かを判断するブロックであり、カラーの場合はステップＳ３０４へ白黒の場合はステップＳ３０６へ進む。
【００６８】
ステップＳ３０４：「カラー原稿」が選択された場合、更に、「写真画像」が選択された「カラー写真モード」か否かを判断する。写真モードとは、写真画像や絵などを複写するモードで階調や画像品位が良好であるモードである。
【００６９】
ステップＳ３０８：ステップＳ３０４にて、「カラー写真モード」と判断された場合は、ステップＳ３０８で作像を、第一画像形成部Ａの感光体ドラム１０１とカラーの回転現像装置１０６のみで生成するように設定する。この後、図２にて説明した感光体ドラムの選択動作に入り、この場合第一の像担持体であるＯＰＣ感光体１０１に静電潜像が形成される。
【００７０】
ステップＳ３０５：ステップＳ３０４にて、「写真画像」でない場合は、文字や線画像を含むカラー画像である原稿を複写するモードと判断され、ステップＳ３０５へ移動して、そこで文字と写真が両立した「文字写真画像」を選択した「カラー文字写真モード」か文字や線画像を重視した「文字画像」を選択した「カラー文字モード」かを判断する。
【００７１】
ステップＳ３０９：ステップＳ３０８で、「カラー文字写真モード」と判断された場合は、ステップＳ３０９へ移動して、第一画像形成部Ａの感光体ドラム１０１及びカラー回転現像装置１０６と、第二画像形成部Ｂの感光体ドラム１０９とＫ２現像器６５と、の両方で画像形成する。このときの処理は、図２を用いて説明したブロック２０３ｂの文字判定結果に応じて、文字と判定した部分についてＫ２現像器６５で作像するように制御する。
【００７２】
ステップＳ３１０：ステップＳ３０８で「カラー文字写真モード」と判断されない時は、主に文字が多い場合であり、「カラー文字モード」として、この場合の黒は第二画像形成部ＢのＫ２現像器６５で作像する。このときは、カラーの画像シーケンスは第一画像形成部ＡのＹＭＣ現像器６２〜６４の画像形成のみでよく、Ｋ２現像器６５はカラー画像シーケンスのＣのタイミングで画像生成するように、図２に示すスキャナ部２の制御を切り替える。
【００７３】
ステップＳ３０６：ステップＳ３０３で「白黒画像」と判断された時、ステップＳ３０６の判断でまず「写真画像」かを判断する。
【００７４】
ステップＳ３１１：ステップＳ３０６で「写真画像」と判断された場合は、「白黒写真モード」であり、ステップＳ３１１に移行して、カラーの回転現像装置１０６のＫ１現像器６１を使用して画像を形成するように選択する。
【００７５】
ステップＳ３０７：ステップＳ３０６で「写真画像」と判断されない場合はステップＳ３０７で「文字写真画像」かを判断する。
【００７６】
ステップＳ３１２：ステップＳ３０７で「文字写真画像」と選択され、文字と写真が混在した「白黒文字写真モード」と判断された場合はステップＳ３１２に移行して、「白黒文字写真モード」として、文字部分は第二画像形成部ＢのＫ２現像器６５を使用して画像形成し、その他の部分は第一画像形成部Ａのカラー回転現像装置１０６のＫ現像器６１を使用して画像形成するように制御する。
【００７７】
ステップＳ３１３：ステップＳ３０７で「文字画像」が選択された場合は、ステップＳ３１３に移行して、「白黒文字モード」として、第二画像形成部ＢのＫ２現像器６５のみで画像形成するように選択する。
【００７８】
つまり使用者は、次の６つのモードを選択することができる。
【００７９】
（１）「カラー写真モード」、第一画像形成部Ａ、ＯＰＣ感光体１０１にて回転現像装置１０６のＹＭＣＫ１現像器６１〜６４を使用。
【００８０】
（２）「カラー文字写真モード」、第一画像形成部Ａ、ＯＰＣ感光体１０１にて回転現像装置１０６のＹＭＣＫ１現像剤６１〜６４を使用。及び第二画像形成部Ｂ、Ａ−Ｓｉ感光体１０９にて固定現像装置１１４のＫ２現像器６５使用。
【００８１】
（３）「カラー文字モード」、第一画像形成部Ａ、ＯＰＣ感光体１０１にて回転現像装置１０６のＹＭＣ現像器６２〜６４を使用。及び第二画像形成部Ｂ、Ａ−Ｓｉ感光体１０９にて固定現像装置１１４のＫ２現像器６５使用。
【００８２】
（４）「白黒写真モード」、第一画像形成部Ａ、ＯＰＣ感光体１０１にて回転現像装置１０６のＫ１現像器６１を使用。
【００８３】
（５）「白黒文字写真モード」第一画像形成部Ａ、ＯＰＣ感光体にて回転現像装置１０６のＫ１現像器６１を使用。及び第二画像形成部Ｂ、Ａ−Ｓｉ感光体１０９にて固定現像装置１１４のＫ２現像器６５使用。
【００８４】
（６）「白黒文字モード」第二画像形成部Ｂ、Ａ−Ｓｉ感光体１０９にて固定現像装置１１４のＫ２現像器６５使用。
【００８５】
つまり、ＯＰＣ感光体１０１を有する第一画像形成部Ａでは、写真等の高画質性が必要な画像を形成し、Ａ−Ｓｉ感光体１０９を有する第二画像形成部Ｂでは、量産される黒の文字画像を形成する。白黒画像であっても写真のようなものは、第一画像形成部ＡにてＯＰＣ感光体１０１を使用して形成される。
【００８６】
以上説明したように、本実施例の白黒文字モードを選択することにより、長寿命可能な感光体ドラム（Ａ−Ｓｉ）と黒の現像器を使用することとなり、オフィスなど文字原稿が多いユーザに対して廉価な白黒（文字）コピーを提供しつつ、カラー画像も従来と同等の画像を提供することが可能となる。長寿命化することにより、感光体ドラムの交換コスト等が低減することが可能であり、廉価化が可能となる。
【００８７】
実施例２
本実施例は実施例１に対して、第一の画像形成部Ａにおいての画像形成が行われるカラー画像のスピードを向上させたものであり、図５にその構成を示す。図５において、実施例１と共通部分に関しては説明を省略する。変更部分は現像器６１〜６５の部分であり、第一の画像形成部Ａに設けられた回転現像装置５０６はＭＣＫの現像剤を収容した、第一ブラック（Ｋ１）現像器６１、シアン（Ｃ）現像器６２、マゼンタ（Ｍ）現像器６３の３つの現像器から構成され、第二の画像形成部Ｂに設けられた回転現像装置５１４は、回転体５１４’に搭載した、ＹとＫ２の現像剤を収容した、イエロー（Ｙ）現像器６４と文字用の白黒画像形成用黒色現像剤である第二ブラック（Ｋ）現像剤Ｋ２を収容したＫ２現像器６５で構成されている。第二画像形成部Ｂでは、実施例１と同様に、文字や単色線画像を現像剤Ｋ２を使用して形成するが、カラー画像を形成する場合、Ｙ現像器６４を使用するため、回転体５１４’を回転させて動作する。
【００８８】
本実施例においても、実施例１と同様の複数の画像形成モードを選択可能である。ここで、画像形成モードを選択する動作に関して、実施例１と異なる部分を簡単に説明する。
【００８９】
ここでも、図４に示される操作表示が表示され、同様の画像形成モードを選択できる。本実施例の画像形成装置においては、「カラー原稿」を選択した時に実施例１と異なった動作を行われる。
【００９０】
「カラー写真モード」が選択された場合は、第一画像形成部Ａの回転現像装置５０６に設けられたＭＣＫ１現像器６１〜６３と第二画像形成部Ｂに設けられた回転現像装置５１４のＹ現像器６４で画像形成する。このときの画像処理は図２のダイレクトマッピング部２０５で文字用の出力としてＹ信号を出力するように制御する。
【００９１】
まず、Ｍ（マゼンタ）とＹ（イエロー）を記録する。このとき、ダイレクトマッピング部２０５から文字用としてＹ（イエロー）信号とカラー用としてＭ（マゼンタ）信号を出力する。そして、第一及び第二の画像形成部Ａ、Ｂ両方同時に動作を行い、Ｍ現像器６３とＹ現像器６４で記録する。
【００９２】
次に、カラー用としてＣ（シアン）を記録するため、第一の画像形成部Ａにおいて、Ｃ現像器６２で記録するため、回転体６０を１２０°回転させ、シアントナー像を形成する。
【００９３】
その次にカラー用としてＫ（ブラック）を記録するため、第一の画像形成部Ａにおいては、Ｋ１現像器６１で記録するため、回転体現像器６０を１２０°回転させ、Ｋ（ブラック）のトナー像を形成するように、スキャナ部２からのカラー用の画像信号をレーザ１０２に順次送信する。
【００９４】
その後の処理は実施例１と同様なため省略する。
【００９５】
「白黒写真モード」は、実施例１と同様である。
【００９６】
「カラー文字写真モード」では、全ての現像器６１〜６５を使用する。まず、Ｍ（マゼンタ）とＹ（イエロー）を記録する。このとき、ダイレクトマッピング部２１２から文字用としてＹ（イエロー）信号とカラー用としてＭ（マゼンタ）信号を出力する。そして、第一及び第二の画像形成部Ａ、Ｂにおいて、同時に回転現像装置５０６のＭ現像器６３と回転現像装置５１４のＹ現像器６４を用いて画像形成する。
【００９７】
次に、カラー用としてＣ（シアン）を記録するため、第一画像形成部Ａの回転現像装置５０６において、回転体６０を１２０°回転させ、Ｃ現像器６２を用いてシアントナー像を形成する。
【００９８】
その次にカラー用として写真用のブラック現像剤Ｋ１と文字や線画像用の現像剤Ｋ２を用いてトナー像を形成するため、第一画像形成部Ａにて、回転現像装置５０６において、回転体６０を１２０°回転させ、Ｋ１（ブラック）現像器６１でトナー像を形成するのと同時に、文字のために、第二画像形成部Ｂにて、回転現像装置５１４において、回転体５１４’を１８０°回転させ、Ｋ２現像器６５でトナー像を形成する。そのときの、画像信号は実施例１と同様なため省略する。
【００９９】
又、その後の処理は実施例１と同様なため省略する。
【０１００】
「白黒文字写真モード」では、文字や線画像情報は第二画像形成部Ｂの回転現像装置５１４のＫ２現像器６５、それ以外の写真画像等を第一画像形成部Ａの回転現像装置５０６のＫ１現像器６１を使用し、同時（回転現像期間のズレは調整）シーケンスで作像する。
【０１０１】
「カラー文字モード」では、まず、Ｍ（マゼンタ）とＹ（イエロー）をトナー像を形成する。このとき、ダイレクトマッピング部２１２から文字用としてＹ（イエロー）信号とカラー用としてＭ（マゼンタ）信号を出力する。そして、第一画像形成部Ａの回転現像装置５０６においてＭ現像器６３がトナー像を形成するのと同時に、第二画像形成部Ｂの回転現像装置５１４のＹ現像器６４でトナー像を形成する。
【０１０２】
つぎに、第一画像形成部Ａの回転現像装置５０６のＣ現像器６２でシアントナー像を形成するタイミングで、第二画像形成部Ｂの回転現像装置５１４のＫ２現像器６５で現像剤Ｋ２によるトナー像を形成する。
【０１０３】
「白黒文字モード」では、第二画像形成部Ｂの回転現像装置５１４のＫ２現像器６５のみを使用する。
【０１０４】
以上説明したように第二画像形成部ＢにＹ現像器６４を配置した理由は、カラーの生産性を向上させるためである。高耐久感光体であるＡ−Ｓｉ感光体ドラム１０９は、第一画像形成部ＡのＯＰＣ感光体ドラム１０１に対して感度ムラが大きいという問題点があり、そのムラを低減するためにはコストが高くなる。その状況で、カラーの生産性を実施例１に対して向上させるために、イエロー画像のムラが目立ちにくいという特徴を利用し、Ａ−Ｓｉ感光体１０９側にＹ現像器６４を配置した。
【０１０５】
これにより、第二の画像形成部のイエロートナー形成と同じタイミングで第一の画像形成部では他の色のトナー像形成ができ、第一の像担持体と第二の像担持体上に同時にトナー像が形成され、第一の画像形成部と第二の画像形成部が同時に動作する機会が多くなり、カラーの生産性は従来の１ドラム系に比べて３／４程度向上させることが可能となる。又、２個の感光体ドラムで上記作像を実現しながら生産性を向上するため、文字を画像形成する側に、第二ブラック現像剤Ｋ２以外にイエロー現像剤Ｙの画像形成手段を設けることにより、従来の２個の感光体ドラムを備えた装置の画像形成速度に近づくことが出来る。
【０１０６】
つまり、本実施例においては、実施例１の効果に加え、カラー画像形成における生産性を向上させることができた。
【０１０７】
実施例３
本実施例では、実施例１、２において、第一の画像形成部Ａの回転現像装置１０６、５０６のＫ１現像器６１に収容されたに含まれるブラック（Ｋ）現像剤Ｋ１は、トナーとキャリアを含む二成分現像剤である。又、第二画像形成部Ｂの文字や単色線画像等の白黒画像用の、Ｋ２現像器６５に収容されたブラック現像剤Ｋ２はトナーを含む一成分現像剤である。一般的に二成分現像剤を使用することにより、画像のリニアリティーが向上し、フルカラーの連続性を要求される画像を形成するためにを使用して画質向上が図られる。
【０１０８】
実施例４
実施例１〜３の画像形成装置において、カラー画像や写真画像形成と、文字画像や線画像等の白黒画像形成の画像処理を変更する。例えば、ＹＭＣＫ１等のカラー現像剤を使用するカラー画像形成に関しては多値記録を行い、第二ブラック現像剤Ｋ２等の現像剤を使用し、Ａ−Ｓｉ感光体上で形成される文字用や線画像に関しては２値記録を行うように処理する。
【０１０９】
この処理を実現するためには図２のＲＥＤブロック２０８で２値化する処理を、カラー画像形成処理信号はスルーするように設定することにより実現可能である。
【０１１０】
実施例５
以上説明した実施例１〜４において、カラー画像形成側のドラムにＡ−Ｓｉ感光体を使用することも可能である。
【０１１１】
また、その時カラー画像形成回転現像装置側のドラムは文字用のドラムに対して特性が良いものを使用するように、ドラムなどを選別して構成する。つまり文字用のドラムに対しては、ドラムの感光物質の塗布ムラが少ない方を選別する。ドラムのムラに関しては、製造上素管に対して、感光物質を塗布して、感光体ドラムになるが、その塗布ムラが感光体ドラムの感度レベルの不均一性となる。そのため、塗布ムラが画像ムラとして現れることになる。
【０１１２】
感光体ドラムの塗布ムラの選別の方法としては、以下の（１）（２）の方法でなされる。
【０１１３】
（１）出来上がったＡ−Ｓｉ感光体を使用して実際に画像出力して、面内の均一性規格を制定して、その均一性に対して同等以上のものをカラー画像用のＡ−Ｓｉ感光体ドラムとして使用する。
【０１１４】
（２）カラー画像用のＡ−Ｓｉドラムを製造するために、面内均一性を向上させるために、時間をかけてドラムの表面層を生成するプロセスのものを使用する。ドラム面の膜を生成する時、時間をかけて表面層を生成すると、面内均一性が向上できる。
【０１１５】
以上の実施例１〜５において説明したように、本発明では、２個の像担持体を装備したカラー画像形成装置において、第一の像担持体としてＯＰＣ感光体か又はドラムの感光物質の塗布ムラが少ないＡ−Ｓｉ感光体が設けられた第一の画像形成部では、カラー画像や写真画像等の均一性が要求される画像が形成され、第二の像担持体としてのＡ−Ｓｉ感光体が設けられた第二の画像形成部では、量産する文字や単色線画像等の白黒画像が形成されることによって、白黒画像形成用とカラー画像形成用途で別の感光体ドラムを使用することで、長寿命で、カラー画像形成に関しては高画質の画像が形成できる画像形成装置が提供できる。
【０１１６】
又、複写動作するときに動作モードを設定する手段を設け、画像の種類に応じて、文字用の白黒画像形成とカラー用のブラック現像剤を使用する画像形成をコントロールすることにより、文字のみの画像では、文字用の白黒画像形成用黒色現像剤である第二ブラックで画像形成し、写真モードなどの高品画像の場合はカラー画像形成用の第一ブラックを使用して画像形成するように制御する。このように制御することにより、文字のみの白黒画像では文字用の高耐久感光体で画像形成が可能となるため、感光体ドラムの交換頻度が低減するため、その交換コスト等が低減する。
【０１１７】
尚、現像剤の色数や、その色の種類、及び画像形成モードの種類や数においては、以上に記載したものに限定されず、その都度適当なものを使用する。
【０１１８】
以上に説明した画像形成装置の構成部品の寸法、材質、形状、及びその相対位置などは、特に特定的な記載がない限りは、この発明の範囲をそれらのみに限定する趣旨のものではない。
【０１１９】
【発明の効果】
以上説明したように、本発明の画像形成装置は、２個の像担持体を有し、複数の現像器のうち少なくともひとつは白黒画像形成用黒色現像剤が収容され、白黒画像形成用黒色現像剤を使用して白黒画像を形成し、及び、白黒画像形成用黒色現像剤以外の複数色の現像剤のうちの少なくとも１色を使用してカラー画像を形成する画像形成装置において、第一の像担持体は、ＯＰＣ感光体か、又は比較的感光物質の塗布ムラの少ないＡ−Ｓｉ感光体であり、第二の像担持体において使用される現像剤以外の現像剤を収容した現像器を有する現像装置によって静電潜像が現像され、第二の像担持体は、Ａ−Ｓｉ感光体であり、白黒画像形成用黒色現像剤を収容する現像器を有する現像装置によって静電潜像が現像されるので、白黒のランニングコストを低減する効果がある。
【０１２０】
又、ブラックの現像器が備えられた、第二の像担持体を使用した画像形成部側にイエローの現像器を配置し、第一の像担持体を使用した側の画像形成部にて、マゼンタ、シアン、ブラックの現像器を備えることにより、１個の像担持体のカラー画像形成よりスピードを向上しつつ、従来の２個の感光体ドラムを備えた装置の画像形成速度に近づくことが出来、白黒コピーのランニングコストを低減する効果がある。
【０１２１】
又、画像に関してもカラー用の画像形成と文字画像形成とで画像処理を変更することにより最適な画像形成が可能なように制御する機能も追加して、画像形成モードに応じて最適な画像を形成することが可能となる効果がある。
【図面の簡単な説明】
【図１】本発明に係る画像形成装置の一例を示す概略構成図である。
【図２】本発明に係る画像データの画像信号処理の一例を示すフローチャートである。
【図３】本発明に係る画像モード選択方法の一例を示すフローチャートである。
【図４】本発明に係る画像形成装置に設けられた操作表示の一例を示す正面図である。
【図５】本発明に係る画像形成装置の他の例を示す概略構成図である。
【符号の説明】
１　　　　　　　　　　　プリンタ部
２　　　　　　　　　　　スキャナ部
６１〜６４　　　　　　　ＹＭＣＫ１現像器
６５　　　　　　　　　　Ｋ２（白黒画像形成用黒色現像剤）現像器
１０１　　　　　　　　　ＯＰＣ、Ａ−Ｓｉ感光体ドラム（第一の像担持体）
１０６　　　　　　　　　回転現像装置（現像装置）
１０９　　　　　　　　　Ａ−Ｓｉ感光体ドラム（第二の像担持体）
１１４　　　　　　　　　ブラック現像装置（現像装置）
Ａ　　　　　　　　　　　第一の画像形成部
Ｂ　　　　　　　　　　　第二の画像形成部
【図１】
2004045758.tif 000003
【図２】
2004045758.tif 000004
【図３】
2004045758.tif 000005
【図４】
2004045758.tif 000006
【図５】
2004045758.tif 000007